(57)【要約】【課題】上部棚板上に物品を収納でき得る構造を担保した範囲内で、収納スペースの幅方向の広さを調整することが可能な収納部構造を提供することを目的とする。【解決手段】建物に設けられる押入れやクローゼット等の収納部１は、左右側壁４，５間に、当該収納部１の天井２と間隔を空けて水平に架設される上部棚板２０と、床３上に立設され、当該床３と上部棚板２０の下面間の長さと略等しい高さに設定されて上部棚板２０を支持するとともに上部棚板２０の長さ方向に沿って移動自在とされた支持体２１と、上部棚板２０の下面に突出して設けられ、支持体２１による上部棚板２０の支持可能範囲Ａ１を超えて当該支持体が２１移動することを規制するストッパーＳ，Ｓと、を備える。【選択図】図１
2014211039.tif 000002
【特許請求の範囲】
【請求項１】
建物に設けられる押入れやクローゼット等の収納部構造において、
前記収納部の左右側壁間に、当該収納部の天井と間隔を空けて水平に架設される上部棚板と、
前記収納部の床上に立設され、当該床と前記上部棚板の下面間の長さと略等しい高さに設定されて前記上部棚板を支持するとともに前記上部棚板の長さ方向に沿って移動自在とされた支持体と、
前記上部棚板の下面に突出して設けられ、前記支持体による前記上部棚板の支持可能範囲を超えて当該支持体が移動することを規制するストッパーと、を備えることを特徴とする収納部構造。
【請求項２】
請求項１に記載の収納部構造において、
前記ストッパーは、前記支持体の一方の側面側と他方の側面側の双方に配置されていることを特徴とする収納部構造。
【請求項３】
請求項１または２に記載の収納部構造において、
前記収納部の床上に立設されるとともに前記収納部の背面壁に固定され、前記支持体と略等しい高さに設定されて前記上部棚板を支持する固定支持体を備えており、
前記固定支持体は、前記支持体による前記上部棚板の支持可能範囲外に配置されていることを特徴とする収納部構造。
【請求項４】
請求項３に記載の収納部構造において、
前記固定支持体は、前記左右側壁から離間して配置されていることを特徴とする収納部構造。
【請求項５】
請求項１〜４のいずれか一項に記載の収納部構造において、
前記上部棚板の下方には、当該上部棚板の長さ方向に沿ってハンガーパイプが設けられており、
前記支持体の上端部には、前記ハンガーパイプが挿入されるパイプ溝が形成されていることを特徴とする収納部構造。
【請求項６】
請求項１〜５のいずれか一項に記載の収納部構造において、
前記支持体は、前記床と前記上部棚板の下面間の長さと略等しい高さに設定された左右の側板と、
前記左右の側板に架設されるとともに当該側板の高さ方向に間隔を空けて配置された複数の棚板と、を有することを特徴とする収納部構造。
【発明の詳細な説明】
【技術分野】
【０００１】
本発明は、収納部構造に関する。
【背景技術】
【０００２】
押入れやクローゼット等の建物の収納部内に市販の収納ボックスを置いて、物品の収納を行う場合がある。ところが、収納部内の幅寸法と収納ボックスの幅寸法とが対応していないと、収納ボックスの横に隙間が生じてしまい、収納部内の収納スペースを有効活用できないという問題があった。そこで、従来、収納部内で、収納区画を自在に設定できる種々の技術が提案されている（例えば、特許文献１参照）。
特許文献１に記載の収納家具は収納部内に設置され、方立の位置を横方向に調整することで、収納区画を必要に応じて自在に設定できるようになっている。このため、市販の収納ボックスを当該収納家具の収納スペースに設置しても、横に隙間が生じくいという利点がある。
【先行技術文献】
【特許文献】
【０００３】
【特許文献１】特開２００７−１１７２３２号公報
【発明の概要】
【発明が解決しようとする課題】
【０００４】
ところで、特許文献１に記載の収納家具の高さを収納部内の高さよりも低くすることによって、収納部内の天井と当該収納家具の天板との間に空間を形成できるようになっている。このように空間が形成された場合、方立で天板を支持することによって天板上にも物品を収納できるので利便性が高い。
ところが、このように天板上に物品が収納されることを考慮した場合に、収納ボックスを設置するために方立の位置を自在に設定してしまうと、バランスよく荷重を支持する上では好ましくない。特に、当業者ではない居住者の判断だけで方立の位置を調整することは極めて困難である。
そこで、天板（以下、上部棚板）上に物品を収納でき得る構造を担保した範囲内で、収納スペースの幅方向の広さを調整できるような技術の開発が望まれていた。
【０００５】
本発明の課題は、上部棚板上に物品を収納でき得る構造を担保した範囲内で、収納スペースの幅方向の広さを調整することが可能な収納部構造を提供することを目的とする。
【課題を解決するための手段】
【０００６】
請求項１に記載の発明は、例えば図１〜図４に示すように、建物に設けられる押入れやクローゼット等の収納部構造において、
前記収納部１（１１）の左右側壁４，５間に、当該収納部１（１１）の天井２と間隔を空けて水平に架設される上部棚板２０（２０Ａ）と、
前記収納部１（１１）の床３上に立設され、当該床３と前記上部棚板２０（２０Ａ）の下面間の長さと略等しい高さに設定されて前記上部棚板２０（２０Ａ）を支持するとともに前記上部棚板２０（２０Ａ）の長さ方向に沿って移動自在とされた支持体２１と、
前記上部棚板２０（２０Ａ）の下面に突出して設けられ、前記支持体２１による前記上部棚板２０（２０Ａ）の支持可能範囲Ａ１（Ａ２）を超えて当該支持体が２１移動することを規制するストッパーＳ，Ｓと、を備えることを特徴とする。
【０００７】
請求項１に記載の発明によれば、前記上部棚板２０（２０Ａ）の下面に突出して、前記支持体２１による前記上部棚板２０（２０Ａ）の支持可能範囲Ａ１（Ａ２）を超えて当該支持体２１が移動することを規制するストッパーＳ，Ｓが設けられているので、前記支持体２１を、前記支持可能範囲Ａ１（Ａ２）内で、前記上部棚板２０（２０Ａ）の長さ方向に沿って移動させることができる。これによって、居住者が前記収納部１（１１）内に例えば収納ボックス等を設置する際に前記支持体２１の位置を任意に調整しても、前記支持体２１による前記上部棚板２０（２０Ａ）の支持が可能となる。したがって、前記上部棚板２０（２０Ａ）上に物品を収納でき得る構造を担保した範囲内で、前記収納部１（１１）の収納スペースの幅方向の広さを調整することが可能となる。さらに、前記上部棚板２０（２０Ａ）上に物品を収納でき得る構造を担保した範囲内であれば、前記上部棚板２０（２０Ａ）の長さも長くすることができる。
【０００８】
請求項２に記載の発明は、請求項１に記載の収納部構造において、
前記ストッパーＳ，Ｓは、前記支持体２１の一方の側面（例えば一方の側板２４）側と他方の側面（例えば他方の側板２４）側の双方に配置されていることを特徴とする。
【０００９】
請求項２に記載の発明によれば、前記ストッパーＳ，Ｓは、前記支持体２１の一方の側面側と他方の側面側の双方に配置されているので、前記支持体２１を、当該支持体２１の一方の側面側と他方の側面側のどちらに移動させても前記上部棚板２０（２０Ａ）の支持が可能となる。
【００１０】
請求項３に記載の発明は、請求項１または２に記載の収納部構造において、
前記収納部１１の床３上に立設されるとともに前記収納部１１の背面壁１６に固定され、前記支持体２１と略等しい高さに設定されて前記上部棚板２０Ａを支持する固定支持体２２を備えており、
前記固定支持体２２は、前記支持体２１による前記上部棚板２０Ａの支持可能範囲Ａ２外に配置されていることを特徴とする。
【００１１】
請求項３に記載の発明によれば、前記固定支持体２２は、前記支持体２１による前記上部棚板２０Ａの支持可能範囲Ａ２外に配置されているので、前記支持体２１は、当該固定支持体２２の有無に関わりなく、前記上部棚板２０Ａの長さ方向に沿って移動させることができる。その上で、前記支持体２１と共に当該固定支持体２２によって前記上部棚板２０Ａを支持できるので、前記上部棚板２０Ａの長さが長い場合であっても確実に前記上部棚板２０Ａの支持が可能となる。
【００１２】
請求項４に記載の発明は、請求項３に記載の収納部構造において、
前記固定支持体２２は、前記左右側壁４，５から離間して配置されていることを特徴とする。
【００１３】
請求項４に記載の発明によれば、前記固定支持体２２は、前記左右側壁４，５から離間して配置されているので、当該固定支持体２２は、前記上部棚板２０Ａの長さ方向両端部よりも中央側に配置されることになり、前記上部棚板２０Ａを支持しやすくなる。
【００１４】
請求項５に記載の発明は、請求項１〜４のいずれか一項に記載の収納部構造において、
前記上部棚板２０（２０Ａ）の下部には、当該上部棚板２０（２０Ａ）の長さ方向に沿ってハンガーパイプ２３（２３Ａ）が設けられており、
前記支持体２１の上端部には、前記ハンガーパイプ２３（２３Ａ）が挿入されるパイプ溝２４ａが形成されていることを特徴とする。
【００１５】
請求項５に記載の発明によれば、前記支持体２１の上端部に、前記ハンガーパイプ２３（２３Ａ）が挿入されるパイプ溝２４ａが形成されているので、前記支持体２１を、前記ハンガーパイプ２３（２３Ａ）に沿って移動させることができる。すなわち、前記ハンガーパイプ２３（２３Ａ）を、前記支持体２１を移動させる際のガイドとして利用できる。
また、前記支持体２１によって前記ハンガーパイプ２３（２３Ａ）に掛けられる衣類等の重量を支えることができるので、衣類等が掛けられた際の前記ハンガーパイプ２３（２３Ａ）の撓みを抑えることができる。
【００１６】
請求項６に記載の発明は、請求項１〜５のいずれか一項に記載の収納部構造において、
前記支持体２１は、前記床３と前記上部棚板２０（２０Ａ）の下面間の長さと略等しい高さに設定された左右の側板２４，２４と、
前記左右の側板２４，２４に架設されるとともに当該側板２４，２４の高さ方向に間隔を空けて配置された複数の棚板２５…と、を有することを特徴とする。
【００１７】
請求項６に記載の発明によれば、前記支持体２１は、前記左右の側板２４，２４と、前記複数の棚板２５…と、を有するので、略ボックス状に形成された状態となる。これによって、当該支持体２１として例えば単なる板状のものを採用する場合に比して、前記上部棚板２０（２０Ａ）を支持しやすくなる。さらに、当該支持体２１を、前記複数の棚板２５…上に物品を置いた状態で移動させることができるので、使い勝手が良い。
【発明の効果】
【００１８】
本発明によれば、上部棚板上に物品を収納でき得る構造を担保した範囲内で、収納部の収納スペースの幅方向の広さを調整することが可能となる。
【図面の簡単な説明】
【００１９】
【図１】収納部構造の一例を示す正断面図である。
【図２】同、平断面図である。
【図３】同、Ａ−Ａ断面図およびＢ−Ｂ断面図である。
【図４】収納部構造の他の一例を示す正断面図である。
【図５】同、Ｃ−Ｃ断面図である。
【発明を実施するための形態】
【００２０】
以下、図面を参照して本発明の実施の形態について説明する。
図１〜図３において符号１は、建物に設けられる押入れやクローゼット等の収納部を示す。本実施の形態においてはクローゼットが採用されている。
この収納部１は、建物の天井２と床３との間に、互いに対向する左右の側壁４，５と、これら左右側壁４，５間に直交するようにして背面壁６とが設けられることによって構成されている。前面は開口しており、図示しない戸が設けられる。そして、天井２と、床３と、左右側壁４，５と、背面壁６とで囲まれた空間が収納スペースとなっている。
【００２１】
左右側壁４，５および背面壁６は、建築用壁パネルで構成されている。
建築用壁パネルとは、縦横の框材が矩形状に組み立てられるとともに、矩形枠の内部に補助桟材が縦横に組み付けられて枠体が構成され、この枠体の両面に面材が貼設されたものであり、内部中空な構造となっている。さらに、その内部中空な部分には、通常、グラスウールやロックウール等の断熱材が装填されるものである。
【００２２】
床３と左右側壁４，５との見切り部分には巾木４ｂ，５ｂがそれぞれ設けられており、床３と背面壁６との見切り部分には巾木６ｂが設けられている。
また、左右側壁４，５および背面壁６のうち、後述する上部棚板２０が設けられる高さ位置に合わせて、上端面で当該上部棚板２０を受ける受桟４ａ，５ａ，６ａがそれぞれ取り付けられている。
これら受桟４ａ，５ａ，６ａや巾木４ｂ，５ｂ，６ｂの取り付けはビスや接着剤等が適宜用いられる。
【００２３】
左右側壁４，５および背面壁６を構成する各面材の裏側（内部中空部側）には、前記受桟４ａ，５ａ，６ａの取付位置に対応して板状の裏側下地材７がそれぞれ取り付けられている。すなわち、前記受桟４ａ，５ａ，６ａは、ビス等によって前記面材および裏側下地材７に対して固定されている。
なお、本実施の形態の裏側下地材７は、建築用壁パネルの製造段階で予め取り付けられるものとする。また、左右側壁４，５および背面壁６を建築用壁パネルで構成しない場合には現場で裏側下地材７を取り付けるようにしてもよい。
【００２４】
以上のように構成された収納部１は、図１〜図３に示すように、上部棚板２０と、支持体２１と、ストッパーＳと、を備える。
上部棚板２０は、収納部１の左右側壁４，５間に、当該収納部１の天井２と間隔を空けて水平に架設される矩形状の板材である。また、この上部棚板２０は、側壁４と側壁５との間にわたって長尺に形成されている。また、長さ方向両端部が左右側壁４，５の前記受桟４ａ，５ａに載置固定され、背面側端部が背面壁６の前記受桟６ａに載置固定されている。
そして、上部棚板２０は、天井２との間に間隔を空けて設けられているため、その上面に物品を置いて収納することが可能となっている。
なお、本実施の形態では収納部１はクローゼットであるが、例えば収納部１を押入れとした場合には、当該押入れの中央に設けられる段板を上部棚板として使用してもよい。
【００２５】
前記支持体２１は、収納部１の床３上に立設され、当該床３と前記上部棚板２０の下面間の長さと略等しい高さに設定されて前記上部棚板２０を支持するとともに前記上部棚板２０の長さ方向に沿って移動自在とされている。
本実施の形態の支持体２１は、左右の側板２４，２４と、複数の棚板２５…と、背板２６と、天板２７と、を有し、略ボックス状に形成されている。
【００２６】
左右の側板２４，２４は、床３と上部棚板２０の下面間の長さと略等しい高さに設定されている。また、その奥行き寸法は、図２および図３に示すように、前記上部棚板２０の奥行き寸法と略等しく設定されている。
また、左右の側板２４，２４の背面側上端部には、前記受桟６ａが係合する凹部が切欠形成されている。さらに、背面側下端部には、前記巾木６ｂが係合する凹部が切欠形成されている。
【００２７】
ここで、前記上部棚板２０の下方には、図１〜図３に示すように、当該上部棚板２０の長さ方向に沿ってハンガーパイプ２３が設けられている。このハンガーパイプ２３は、衣類の掛かったハンガー等を引っ掛けるためのものである。また、このハンガーパイプ２３の長さ方向両端部は、前記左右側壁４，５の受桟４ａ，５ａに固定された図示しない取付金具を介して当該受桟４ａ，５ａに取り付けられている。
そして、支持体２１の上端部、すなわち左右の側板２４，２４の上端部には、ハンガーパイプ２３が挿入されるパイプ溝２４ａ，２４ａがそれぞれ形成されている。これによって、支持体２１を、ハンガーパイプ２３に沿って移動できるようになる。
【００２８】
複数の棚板２５…は、左右の側板２４，２４に架設されるとともに当該側板２４，２４の高さ方向に間隔を空けて配置されている。
これら複数の棚板２５…のうち、最上段の棚板２５と最下段の棚板２５は、左右の側板２４，２４に固定された状態となっている。これら最上段の棚板２５と最下段の棚板２５の間に設けられる棚板２５は、従来公知のダボおよびダボ穴等の棚板支持手段を採用することによって上下方向に位置の調整が行えるものとする。
【００２９】
背板２６は、左右の側板２４，２４に架設されている。この背板２６の上下方向の長さは、左右の側板２４，２４の上下方向の長さよりも短く設定されている。そして、この背板２６は、当該背板２６の中央と、支持体２１自体の背面側中央とがラップするようにして配置されている。
さらに、このように配置された背板２６の上端部に前記最上段の棚板２５が設けられ、下端部に前記最下段の棚板２５が設けられている。なお、最上段の棚板２５と最下段の棚板２５の間に設けられる棚板２５の奥行き寸法は、背板２６の厚み分、最上段の棚板２５と最下段の棚板２５の奥行き寸法よりも短く設定されている。
【００３０】
天板２７は、左右の側板２４，２４の上端部間に架設されている。この天板２７の上面は、左右の側板２４，２４の上端面と共に前記上部棚板２０の下面に当接している。このため、これら左右の側板２４，２４の上端面と天板２７の上面は平滑に形成されていたり、摩擦軽減手段が設けられていたりすることが好ましい。すなわち、支持体２１の移動が、上部棚板２０の下面との間に生じる摩擦によって阻害されないようにすることが好ましい。
本実施の形態の支持体２１は、以上のように構成されている。
【００３１】
続いて、前記ストッパーＳは、上部棚板２０の下面に突出して設けられ、支持体２１による上部棚板２０の支持可能範囲Ａ１を超えて当該支持体２１が移動することを規制するものである。つまり、このストッパーＳは、支持体２１を構成する側板２４の上端部に当接するものである。
このストッパーＳの形状は特に限定されるものではないが、本実施の形態においては、突起状に形成されている。また、その他にも、形状を上部棚板２０の奥行き方向に沿って長尺な突条としてもよいし、突起状のものを上部棚板２０の奥行き方向に複数並べて配置してもよいものとする。また、ストッパーＳの材料も特に限定されるものではなく、例えばゴムや木材、金具等、様々なものを用いることが可能である。
なお、ストッパーＳの取り付けは、ビスや接着剤等が適宜用いられる。
【００３２】
より詳細に説明すると、ストッパーＳは、支持体２１の一方の側面側と他方の側面側の双方に配置されている。すなわち、本実施の形態においては図１に示すように、左の側板２４側と、右の側板２４側のそれぞれにストッパーＳ，Ｓが配置されている。
そして、これら左右のストッパーＳ，Ｓ間が、前記支持体２１による前記上部棚板２０の支持可能範囲Ａ１とされている。
【００３３】
ここで、本実施の形態の建物は、基準寸法（モジュール）に基づいて設計され、構築されている。この基準寸法（モジュール）とは、建物のあらゆる部分を一定の大きさの倍数関係に整えるための基準寸法であり、本実施の形態においては、１モジュールが１０００ｍｍに設定されている。なお、ここでは基準寸法（モジュール）の値を１０００ｍｍとしたが、これに限らずどのような値としてもよく、例えば、１０００ｍｍ以外に８００ｍｍ、９００ｍｍ、９１０ｍｍ等といった値が挙げられる。
また、建物を構築する際、設計段階から構造計算が行われることによって安全性に配慮された建物を構築できるが、このような構造計算を行う際には、前記基準寸法も加味して計算が行われるため、本実施の形態においても、前記支持可能範囲Ａ１の数値を導き出す際に、前記基準寸法が好適に使用される。
すなわち、本実施の形態においては、左側のストッパーＳは、当該ストッパーＳに前記支持体２１の左の側板２４が当接した時に、右の側板２４と右の側壁５との間の間隔が１０００ｍｍを超えない位置に配置されている。一方の右側のストッパーＳは、当該ストッパーＳに前記支持体２１の右の側板２４が当接した時に、左の側板２４と左の側壁４との間の間隔が１０００ｍｍを超えない位置に配置されている。
本実施の形態においては、上述のように基準寸法に基づいて前記支持可能範囲Ａ１を決定するものとしたが、これに限られるものではなく、より詳細に構造計算を行ってストッパーＳ，Ｓの位置を決めてもよいし、前記支持可能範囲Ａ１が限界値よりも狭くなるようにストッパーＳ，Ｓの位置を設定して確実に上部棚板２０を支持し得るようにしてもよい（例えば、支持体２１を中央側に寄せて配置するとともに当該支持体２１の移動距離も短くする等）。
【００３４】
以上のようにして収納部１が構成されている。
すなわち、本実施の形態の収納部１は、上部棚板２０と支持体２１とによって収納部１の収納スペースを区画する収納家具を構成し、当該収納家具を収納スペース内に含んだ構成となっている。
【００３５】
そして、支持体２１を移動させる際は、例えば左右の側板２４，２４を掴みながら、上部棚板２０の長さ方向に沿って移動させる。この時、左右の棚板２４，２４の下端部を床３から僅かに浮かせるようにしながら持ち上げて移動させることが好ましい。
また、例えば収納部１内の床３に設置する収納ボックス（図示せず）を、横方向に大きな隙間が生じないように配置するには、当該収納ボックスを側壁４（５）に近づけて（例えば巾木に当接するまで近づけて）配置し、さらに支持体２１を収納ボックスの側面に当接するまで移動させる。これによって、支持体２１によって上部棚板２０を確実に支持しつつ、収納ボックスの横に大きな隙間が生じなくなる。
【００３６】
本実施の形態によれば、上部棚板２０の下面に突出して、前記支持体２１による前記上部棚板２０の支持可能範囲Ａ１を超えて当該支持体２１が移動することを規制するストッパーＳ，Ｓが設けられているので、支持体２１を、前記支持可能範囲Ａ１内で、上部棚板２０の長さ方向に沿って移動させることができる。これによって、居住者が収納部１内に例えば収納ボックス等を設置する際に支持体２１の位置を任意に調整しても、支持体２１による上部棚板２０の支持が可能となる。したがって、上部棚板２０上に物品を収納でき得る構造を担保した範囲内で、収納部１の収納スペースの幅方向の広さを調整することが可能となる。さらに、上部棚板２０上に物品を収納でき得る構造を担保した範囲内であれば、この上部棚板２０の長さも長くすることができる。
【００３７】
また、ストッパーＳ，Ｓは、支持体２１の左側の側板２４側と右側の側板２４側の双方に配置されているので、支持体２１を、当該支持体２１の左側と右側のどちらに移動させても上部棚板２０の支持が可能となる。
【００３８】
また、左右の側板２４，２４の上端部に、ハンガーパイプ２３が挿入されるパイプ溝２４ａ，２４ａが形成されているので、支持体２１を、ハンガーパイプ２３に沿って移動させることができる。すなわち、ハンガーパイプ２３を、支持体２１を移動させる際のガイドとして利用できる。
また、支持体２１によってハンガーパイプ２３に掛けられる衣類等の重量を支えることができるので、衣類等が掛けられた際のハンガーパイプ２３の撓みを抑えることができる。
【００３９】
また、支持体２１は、左右の側板２４，２４と、複数の棚板２５…と、を有するので、略ボックス状に形成された状態となる。これによって、当該支持体２１として例えば単なる板状のものを採用する場合に比して、上部棚板２０を支持しやすくなる。さらに、当該支持体２１を、複数の棚板２５…上に物品を置いた状態で移動させることができるので、使い勝手が良い。
【００４０】
［実施例］
図４および図５は、収納部構造の他の一例を示す。本実施例の収納部１１が上述の収納部１と異なる点は、当該収納部１１の幅方向の広さを大きくした点である。以下の説明では上述の収納部１の構造と同様の構成要素には、同一符号を付してその説明を省略ないし簡略化する。
【００４１】
本実施例の収納部１１は、建物の天井２と床３との間に、左右の側壁４，５と、これら左右側壁４，５間に直交するようにして背面壁１６とが設けられることによって構成されている。前面は開口しており、図示しない戸が設けられる。そして、天井２と、床３と、左右側壁４，５と、背面壁１６とで囲まれた空間が収納スペースとなっている。
そして、上述の収納部１の場合と比して、左右側壁４，５間の間隔が広く設定されている。なお、天井高は上述の収納部１の場合と同様である。
【００４２】
左右側壁４，５の間隔が広く設定されたことに伴って、背面壁１６の幅寸法も広く設定されている。また、これに伴って、本実施例の上部棚板２０Ａの長さも長く設定され、背面壁１６に取り付けられる受桟１６ａおよび巾木１６ｂの長さも長く設定され、背面壁１６の面材の裏側に設けられる裏側下地材１７の長さも長く設定されている。さらに、ハンガーパイプ２３Ａも長尺に設定されている。
なお、上部棚板２０Ａは、異なる長さの矩形板材を繋ぎ足して長く形成してもよい。
【００４３】
そして、前記収納部１１の床３上に、背面壁１６に固定され、かつ支持体２１と略等しい高さに設定されて上部棚板２０Ａを支持する固定支持体２２が立設されている。
固定支持体２２の構成は、前記支持体２１の構成と同様であり、左右の側板２４，２４と、複数の棚板２５…と、背板２６と、天板２７と、を有する略ボックス状体である。
また、左右の側板２４，２４の上端部には、ハンガーパイプ２３Ａを挿入するパイプ溝２４ａ，２４ａが形成されている。ただし、固定支持体２２は移動しないため、ハンガーパイプ２３Ａによるガイド機能はなく、左右の側板２４，２４によって当該ハンガーパイプ２３Ａの支持のみ行っている。
【００４４】
固定支持体２２は、背板２６を背面壁１６に留め付けることによって固定されている。このように固定支持体２２が固定される背面壁１６の面材の裏側には、板状の裏側下地材１８が取り付けられている。図５に示すように、本実施例の裏側下地材１８は、背板２６上部と下部とに対応して上下二箇所に設けられている。そして、背板２６は、ビス等によって前記面材および裏側下地材１８，１８に対して固定されている。
【００４５】
このような固定支持体２２は、左右側壁４，５から離間して配置されている。これによって、当該固定支持体２２は、前記上部棚板２０Ａの長さ方向両端部よりも中央側に配置されることになり、前記上部棚板２０Ａを支持しやすくなる。
また、固定支持体２２の右側の側板２４と右の側壁５との間の間隔が大きすぎると、上部棚板２０Ａの右側の端部側で荷重を支えにくくなるため、固定支持体２２と側壁５（支持体２１との並び順によっては側壁４の場合もある）との間隔にも、支持可能範囲の数値が適用される。すなわち、本実施例においては１０００ｍｍ以上の間隔ができないように固定支持体２２が配置されている。
【００４６】
さらに、固定支持体２２は、前記支持体２１による上部棚板２０Ａの支持可能範囲Ａ２外に配置されている。すなわち、本実施例の支持体２１は、左の側壁４と固定支持体２２との間で、上部棚板２０Ａの長さ方向に沿って移動することになる。そして、ストッパーＳ，Ｓが、支持体２１の左の側板２４側（左の側壁４側）と、右の側板２４側（固定支持体２２側）のそれぞれに配置されている。
そして、これら左右のストッパーＳ，Ｓ間が、本実施例における支持可能範囲Ａ２とされている。固定支持体２２は、当該支持可能範囲Ａ２外に配置されているので、支持体２１は、当該固定支持体２２の有無に関わりなく、上部棚板２０Ａの長さ方向に沿って移動させることができる。その上で、支持体２１と共に当該固定支持体２２によって上部棚板２０Ａを支持できるので、上部棚板２０Ａの長さが長い場合であっても確実に上部棚板２０Ａの支持が可能となる。
【００４７】
なお、本実施例においては、左側のストッパーＳは、当該ストッパーＳに前記支持体２１の左の側板２４が当接した時に、右の側板２４と固定支持体２２との間の間隔が１０００ｍｍを超えない位置に配置されている。一方の右側のストッパーＳは、当該ストッパーＳに前記支持体２１の右の側板２４が当接した時に、左の側板２４と左の側壁４との間の間隔が１０００ｍｍを超えない位置に配置されている。
以上のようにして収納部１１が構成されている。
【符号の説明】
【００４８】
１  収納部
２  天井
３  床
４  側壁
５  側壁
６  背面壁
１１  収納部
１６  背面壁
２０，２０Ａ  上部棚板
２１  支持体
２２  固定支持体
Ｓ  ストッパー
Ａ１  支持可能範囲
Ａ２  支持可能範囲
【図１】
2014211039.tif 000003
【図２】
2014211039.tif 000004
【図３】
2014211039.tif 000005
【図４】
2014211039.tif 000006
【図５】
2014211039.tif 000007